(57)【要約】【課題】風船本体を上昇した状態で排気口から熱風を放出し、風船本体を回転させる。【解決手段】風船本体２の開口部３を下向きとし、開口部３にリング４を設けるとともにリング４に開口部３の中央やや下方で可燃性ガスのガスバーナ５を上向きに取り付け、リング４に地上に対して係留可能な金属製のワイヤ６を連結し、さらに上記風船本体２の側面に回転方向の後方に向けて排気口１１を形成し、排気口１１に開閉可能な弁１５および弁１５に係合するバイメタル１６を取り付けてなり、風船本体２の内部温度の上昇によるバイメタル１６の変形により弁１５を排気口１１から離して排気口１１を開くことによッて、排気口１１から熱風を放出し、風船本体２を上昇した状態で回転させる。【選択図】図１
0003107798.tif 000002
【実用新案登録請求の範囲】
【請求項１】
袋状の風船本体（２）の開口部（３）を下向きとし、この開口部（３）にリング（４）を設けるとともに、このリング（４）に開口部（３）の中央やや下方で可燃性ガスのガスバーナ（５）を上向きに取り付け、リング（４）に地上に対して係留可能な金属製のワイヤ（６）を連結し、さらに上記風船本体（２）の側面に回転方向の後方に向けて排気口（１１）を形成し、この排気口（１１）に開閉可能な弁（１５）および弁（１５) に係合するバイメタル（１６）を取り付けてなり、風船本体（２）の内部温度の上昇によるバイメタル（１６）の変形により弁（１５）を排気口（１１）から離して、排気口（１１）を開くことによって、排気口（１１）から熱風を放出し、風船本体（２）を上昇した状態で回転させることを特徴とする熱風船（１）。
【請求項２】
袋状の風船本体（２）の開口部（３）を下向きとし、この開口部（３）にリング（４）を設けるとともに、このリング（４）に開口部（３）の中央やや下方で可燃性ガスのガスバーナ（５）を上向きに取り付け、リング（４）に地上に対して係留可能な金属製のワイヤ（６）を連結し、さらに上記風船本体（２）の側面に回転方向の後方に向けて排気口（１１）を形成し、この排気口（１１）に開閉可能な弁（１５）を、孔（１８）を有するブラケット（１３）と、孔（１７）を有する蓋（２３）とで構成し、ブラケット（１３）に対して蓋（２３）を相対移動可能に取り付け、蓋（２３）とバイメタル（１６）とを連結してなり、風船本体（２）の内部温度の上昇によるバイメタル（１６）の変形によりブラケット（１３）の孔（１８）と蓋（２３）の孔（１７）と開通させて、排気口（１１）を開くことによって、排気口（１１）から熱風を放出し、風船本体（２）を上昇した状態で回転させることを特徴とする熱風船（１）。
【考案の詳細な説明】
【技術分野】
【０００１】
本考案は、熱風（加熱空気）の浮力により、風船本体を空中に浮かび上げる熱風船に関する。
【背景技術】
【０００２】
東北地方（秋田県仙北群西木村）の冬祭りで、「紙風船上げ」の行事が行われている。その行事での紙風船は、熱気球の原理（空気の浮力の原理）を応用するもので、文字通り和紙により製作され、熱源は、含油布の燃焼となっている。この紙風船は、熱風の吹き込みにより、浮力を得て上昇し、大空に放されて飛行する。
【０００３】
上記の紙風船によると、含油布の燃焼にともない不燃性ガスが多く発生し、環境上好ましくなく、また、紙風船が放された後、不特定の地に落下するため、火災発生など消防上の問題がある。
【０００４】
紙風船の外側表面には、武者絵、美人画のほかに、催し物や祭りのテーマ、広告文などが表示されるが、それらの表示内容は、地上のある定位置から見ていると、１または２つの側面の記載事項しか確認できない。このため、表示効果や広告効果が充分にあがっていない。
【０００５】
一方、特許文献１（特開２００１−２４７０９４）は、風船本体の側面に回転方向の後方に向けて排気口を形成し、熱風船を空中で垂直軸回りに回転できるようにしている。しかし、この熱風船の場合、加熱空気が常時排気口から排出されるため、浮上時に充分な浮力を得られないことがある。
【特許文献１】特開２００１−２４７０９４
【考案の開示】
【考案が解決しようとする課題】
【０００６】
したがって、本考案の課題は、浮上時に充分な浮力を得るとともに、浮上完了後は空中で垂直軸回りに回転をする熱風船を提供し、表示効果や広告効果を高めることである。
【課題を解決するための手段】
【０００７】
上記の課題のもとに、本考案は、袋状の風船本体（２）の開口部（３）を下向きとし、この開口部（３）にリング（４）を設けるとともに、リング（４）に開口部（３）の中央やや下方で可燃性ガスのガスバーナ（５）を上向きに取り付け、リング（４）に地上に対して係留可能な金属製のワイヤ（６）を連結し、さらに上記風船本体（２）の側面に回転方向の後方に向けて排気口（１１）を形成し、この排気口（１１）に開閉可能な弁（１５）および弁（１５) に係合するバイメタル（１６）を取り付けて、熱風船（１）を構成し、船本体（２）の内部温度の上昇によるバイメタル（１６）の変形により弁（１５）を排気口（１１）から離して、排気口（１１）を開くことによって、排気口（１１）から熱風を放出し、風船本体（２）を上昇した状態で回転させるようにしている。
【０００８】
また、本考案は、袋状の風船本体（２）の開口部（３）を下向きとし、この開口部（３）にリング（４）を設けるとともに、リング（４）に開口部（３）の中央やや下方で可燃性ガスのガスバーナ（５）を上向きに取り付け、リング（４）に地上に対して係留可能な金属製のワイヤ（６）を連結し、さらに上記風船本体（２）の側面に回転方向の後方に向けて排気口（１１）を形成し、この排気口（１１）に開閉可能な弁（１５）を、孔（１８）を有するブラケット（１３）と、孔（１７）を有する蓋（２３）とで構成し、ブラケット（１３）に対して上記の蓋（２３）を相対移動可能に取り付け、蓋（２３）とバイメタル（１６）とを連結して、熱風船（１）を構成し、風船本体（２）の内部温度の上昇によるバイメタル（１６）の変形によりブラケット（１３）の孔（１８）と蓋（２３）の孔（１７）と開通させて、排気口（１１）を開くことによって、排気口（１１）から熱風を放出し、風船本体（２）を上昇した状態で回転させるようにしている。
【考案の効果】
【０００９】
本考案によれば、風船本体の内部温度の上昇によるバイメタルの変形により弁を排気口から離して排気口を開くことによって、排気口から熱風を放出し、風船本体を上昇した状態で回転させるから、風船の浮上途中では安定した充分な浮力を得ることができ、かつ風船の浮上完了後は熱風船を空中で垂直軸回りに回転させ、表示効果や広告効果を高めることができる。
【００１０】
また、弁が蓋とブラケットとで構成され、バイメタルの変形によって蓋の孔とブラケットの孔とが開通する構造のものによると、風圧の作用方向と蓋の移動方向（回転移動方向・直線移動方向）とが直交する関係にあるから、弁（蓋・ブラケット）の自動開閉が安定化する。
【考案を実施するための最良の形態】
【００１１】
図１は本考案の熱風船１を示し、図２はその要部の拡大を示す。これらの図において、熱風船１は、袋状の風船本体２により構成されている。風船本体２は、和紙もしくは合成紙またはプラスチックシートなどを用いて、上部を大きく例えば四角錐状で上下の長さ５〜１０メートル程度の袋状中空体として構成され、その開口部３は、下向きとした状態で、適当な大きさ例えば竹製で直径１．０〜１．５メートル程度のリング４により補強され、開口状態を保持するようになっている。なお、リング４は、接着、貼り付け、縫い付けなどの手段により設けられる。風船本体２の外側表面には、武者絵、美人画のほか、催し物や祭りのテーマ、広告文などが表示される。
【００１２】
熱源としてガスバーナ５は、可能な限り軽量な機種を採用し、必要に応じて４連式とし、開口部３の中央やや下方で、リング４に対して適当な手段例えば金属製でＹ字状もしくは十字状の吊りワイヤ７によって上向き状態で取り付けられている。ガスバーナ５の燃料は不燃性ガスの発生を抑え、環境を保全する観点から、液化ブタン、液化プロパンの混合ＬＰガスによる可燃性ガスとする。
【００１３】
そして係留用のワイヤ６の一端は、風船本体２の下部のリング４に対して、１点であるいは吊りワイヤ７と同様にＹ字状もしくは十字状として３点または４点で連結されている。係留用のワイヤ６は、火災の発生の防止のために、細い金属製のものとし、必要に応じてより戻し８を介在させる。なお、ワイヤ６の他端は、係留用の止め具９、または図示しないリール兼用のハンドルに固定されている。
【００１４】
そして、風船本体２は、その側面で垂直方向の軸を回転中心として回転させるための回転手段として１または２以上の排気口１１を有している。排気口１１は、風船本体２の側面に形成された例えば丸い孔１２と、孔１２を補強するブラケット１３と、軽量素材で作られブラケット１３に固定される回転後方向きの筒１４と、ブラケット１３の内側開口部を塞ぐ弁１５と、弁１５の開閉手段としてのバイメタル１６とから構成されている。ここで弁１５は、風船本体２の内部の空気が所定の温度以上になるとバイメタル１６の変形作用で開くようになっている。前記所定の温度は、熱風船１が上昇を始める温度以上に設定されており、熱風船１が上昇を完了する前に弁１５が開かないようになっている。
【００１５】
熱風船１を空中に上げるとき、操作者は、まず、ワイヤ６の一端の止め具９をくい１０などに係留するか、または図示しないリール兼用のハンドルを保持しながら、大きな熱容量のガスバーナにより可燃性ガスを加熱して気化し、燃焼による高温の熱風を開口部３から風船本体２の内部に吹き込み、つぎにガスバーナ５に点火して、このガスバーナ５による加熱によって、ガスボンベの凍結を防止しながら、風船本体２内部の高温を維持し、熱風船１に浮力を与えて、空中に浮上させる。なお、このとき弁１５は排気口１１を閉じているので、風船本体２の内部の高い温度の空気は外部に漏れない。このため風船本体２は速やかに上昇する。
【００１６】
また、風船本体２の上部が下部より大容量（大空間）として形成されているため、熱風船１は、正しい上下の姿勢を保ちながら上昇する。この上昇状態で、ガスバーナ５は、熱風を風船本体２の内部に持続的に補給することにより、必要な浮力を長時間にわたって持続させる。このようにして、熱風船１は、催し物会場や祭りなどで風に揺れながら上下の姿勢を保持しつつ空中に長時間浮上する。
【００１７】
空中での浮上状態で、風船本体２の内部が所定の温度に達すると、弁１５はバイメタル１６の変形作用により開くので、風船本体２の内部の高い温度の空気の一部は、孔１２から外部に出て、筒１４に案内され、排気口１１から回転方向の後方に排出される。このときの排出空気の反作用により、風船本体２は、風船本体２の垂直軸を中心としてゆっくりと回転（旋回）する。これによって、地上の観察者は、観察位置を移動しなくても、回転している風船本体２の４側面を時間の経過とともに連続して観察できるようになる。したがって、風船本体２の４側面の絵や文字などの表示効果や広告効果が充分に発揮できることになる。
【００１８】
つぎに、図３および図４は、他の実施例の排気口１１の周辺の要部を示している。弁１５は、蓋２３とブラケット１３を含み、蓋２３は、ピン２２によってブラケット１３に回転可能に取り付けられており、蓋２３およびブラケット１３にはそれぞれ同じピッチで放射状スリットによる孔１７、１８が配設されている。蓋２３が１ピッチ分回転すると、孔１７、１８が重なって弁１５が開き、あるいは孔と孔の無い部分とが重なり弁１５が閉じるようになっている。
【００１９】
蓋２３にはアーム１９が設けられており、棒２０を介してＵ字型のバイメタル１６の先端と係合している。Ｕ字型のバイメタル１６の他端は支持部材２１によりブラケット１３に固定されている。風船本体２の内部の空気が所定の温度以上になると、バイメタル１６の一端はＵ字が開く方向に変位し、棒２０を引っ張って、蓋２３を回転させ、孔１７、１８どうしを開通させることにより、弁１５を開く。温度が下がると、棒２０を押して蓋２３を回転させ弁１５を閉じる。
【００２０】
これにより、熱風船１の上昇完了前は、弁１５を閉じて風船本体２の内部空気の温度を速やかに高め、短時間に熱風船１を上昇させることができ、熱風船１の上昇完了後は、弁１５を開いて、熱い空気の一部を回転方向に排出することによって、風船本体２を回転させる。
【００２１】
なお、ブラケット１３に対して蓋２３は、回転移動でなく、直線方向の移動であってもよい。また、バイメタル１６の変位量は、バイメタルを螺旋状としその全長を長くするか、複数のバイメタルを組み合わせるか、またはバイメタルにてこ（レバー）機構を組み合わせることによって確保できる。
【産業上の利用可能性】
【００２２】
本考案の熱風船は、祭りやイベントに利用できるほか、熱風船の側面に広告を記載して、宣伝の媒体としても利用できる。
【図面の簡単な説明】
【００２３】
【図１】本発明の熱風船の斜面図である。
【図２】本発明の熱風船の要部の拡大断面図である。
【図３】本発明の熱風船の要部の拡大平面図である。
【図４】本発明の熱風船の要部の拡大断面図である。
【符号の説明】
【００２４】
１    熱風船
２    風船本体
３    開口部
４    リング
５    ガスバーナ
６    ワイヤ
７    吊りワイヤ
８    より戻し
９    止め具
１０    くい
１１    排気口
１２    孔
１３    ブラケット
１４    筒
１５    弁
１６    バイメタル
１７    孔
１８    孔
１９    アーム
２０    棒
２１    支持部材
２２    ピン
２３    蓋
【図１】
0003107798.tif 000003
【図２】
0003107798.tif 000004
【図３】
0003107798.tif 000005
【図４】
0003107798.tif 000006